(57)【要約】本発明は、タッチスクリーンの有利な特徴とデジタルカメラとを組み合わせ、便利なシステムおよび方法をもたらす。このシステムおよび方法により、カメラのユーザは、カメラおよびその使用についての情報を見ることができ、そして情報を見るためおよびカメラを操作するためのコマンドを入力することができる。さらに本発明は、ユーザがカメラを制御し得る、ナビゲートされ得る被ホストビデオ環境を伴う。この被ホストビデオ環境は、ユーザの入力と対話するか、もしくは応答するパーソナリティ、またはキャラクタを提供する。１つの実施形態において、ＰＤＡは、カメラに取り外し可能に取り付けられ、ビデオ環境を見る、およびビデオ環境と対話するためのタッチスクリーンを提供する。
2006512873.tif 000002
【特許請求の範囲】
【請求項１】
デジタルカメラを操作するためのパーソナルデジタルアシスタントであって、
ａ）デジタルカメラへの機械結合と、
ｂ）デジタルカメラへの電気結合と、
ｃ）該アシスタントに機械的および電気的に接続された該デジタルカメラの操作を制御するための制御オプションを表示するため、かつ、ユーザの制御選択を受けるための、タッチスクリーンと、
ｄ）該タッチスクリーン上で該カメラの制御に関連する画像を表示するため、かつ、該カメラを制御するユーザの入力を受け、そして、該電気結合を介して、該カメラへ該ユーザの制御入力を通信するためのハードウェアおよびソフトウェアと
を備えた、パーソナルデジタルアシスタント。
【請求項２】
前記画像は、ナビゲートされ得るビデオである、請求項１に記載のパーソナルデジタルアシスタント。
【請求項３】
前記ビデオ画像は、パーソナリティによってホストされる、請求項２に記載のパーソナルデジタルアシスタント。
【請求項４】
デジタルカメラであって、
ａ）画像キャプチャ装置と、
ｂ）該画像キャプチャ装置に結合されたユーザインターフェースデバイスであって、これにより、ユーザは、該画像キャプチャ装置を制御し得る、ユーザインターフェースデバイスと
を備え、
該ユーザインターフェースは、
（ｉ）ユーザの入力を登録するためのタッチセンシティブスクリーンを有するユーザ入力デバイスと、タッチセンシティブスクリーンと、
（ｉｉ）該入力デバイスを制御し、そして該入力デバイスに応答するため、かつ、該画像キャプチャ装置を制御するためのハードウェアおよびソフトウェアと
を備えた、デジタルカメラ。
【請求項５】
前記ユーザインターフェースデバイスは、前記カメラに取り外し可能に取り付けられている、請求項４に記載のデジタルカメラ。
【請求項６】
前記ユーザインターフェースは、前記画像キャプチャ装置の制御に関するビデオコンテンツを格納し、かつ、表示し、該ビデオは、ナビゲートされ得、かつ、ユーザの入力に基づいて選択的に再生される、請求項４に記載のデジタルカメラ。
【請求項７】
前記ビデオコンテンツは、該ビデオコンテンツを介して前記ユーザをガイドするホストのパーソナリティの役割を果たす、請求項６に記載のデジタルカメラ。
【発明の詳細な説明】
【技術分野】
【０００１】
本出願は、２００２年９月２４日に出願された米国特許出願第６０／４１３，１７８号および２００３年２月５日に出願された米国特許出願第１０／３５８，９３１号に対する優先権を主張し、また、米国特許出願第１０／３５８，９３１号は、２００２年２月５日に出願された米国特許出願第６０／３５４，５９５に対する優先権を主張する。
【０００２】
（発明の分野）
本発明は、概してユーザがカメラを操作することにおいてアシストするためのカメラに関連するビデオ環境に関し、より詳細には、カメラに取り外し可能に結合されたパーソナルデジタルアシスタント（ＰＤＡ）のタッチセンシティブスクリーンを利用する被ホストビデオ環境に関する。ＰＤＡおよびカメラは、そのＰＤＡとカメラとの間で電気接続もしくはデータ接続のためにリンクされている。従って、ユーザがそのカメラの操作を試みるとき、そのカメラは、そのＰＤＡに信号を送信し、適切なビデオセグメントを再生し、ユーザがカメラを首尾よく操作することにおいてアシストする。
【背景技術】
【０００３】
（発明の背景）
デジタルカメラは、静止画および動画の両方について、特に、新しいユーザまたはデジタルカメラをあまり使用しないユーザにとって操作が複雑になり得る。必要とされてきたのは、ユーザがカメラを操作をしているとき、ユーザにとって簡単にアクセスされ得る、カメラの操作についてのヘルプまたは指示である。
【０００４】
パーソナルデジタルアシスタントは、多くの人々が、格納されている情報にアクセスし、インターネットからデータをダウンロードし、そして他の人々と通信するために携帯する、普及しているアイテムである。さらに、パーソナルデジタルアシスタントは、そのＰＤＡを制御するためのタッチセンシティブスクリーンを備え、そのスクリーンは、代表的に、デジタルカメラのビュースクリーンより広い。
【発明の開示】
【課題を解決するための手段】
【０００５】
（発明の要旨）
本発明は、タッチスクリーンの有利な特徴とデジタルカメラとを組み合わせ、便利なシステムおよび方法をもたらす。このシステムおよび方法により、カメラのユーザは、カメラおよびその使用についての情報を見ることができ、そして情報を見るためおよびカメラを操作するためのコマンドを入力することができる。さらに本発明は、ユーザがカメラを制御し得る、ナビゲートされ得る被ホストビデオ環境を伴う。この被ホストビデオ環境は、ユーザの入力と対話するか、もしくは応答するパーソナリティ、またはキャラクタを提供する。１つの実施形態において、ＰＤＡは、カメラに取り外し可能に取り付けられ、ビデオ環境を見る、およびビデオ環境と対話するためのタッチスクリーンを提供する。
【発明を実施するための最良の形態】
【０００６】
図１に図示されるように、カメラ１は、選択的に取り外し可能な様態で、パーソナルデジタルアシスタント２を機械的に係合する。１つの好ましい実施形態において、カメラ１は、一般的なＰＤＡの形状を受容し、かつ、そのＰＤＡに取り付けられる構造を備える。その結果、ユーザは、本発明に従ったカメラ１に関して、そのユーザのお気に入りのＰＤＡを使用し得る。あるいは、このデバイス３のＰＤＡ２の部分は、カメラ１を取り付けられ、かつ、カメラ１と相互作用するために特別に適合される。
【０００７】
図１におけるデバイス３の図示される好ましい実施形態において、ＰＤＡは、水平方向すなわち横向きに、カメラ１に取り付けられる。この方法において達成される１つの利点は、ＰＤＡのシルエットは、通常、カメラのシルエットをまねる、つまりカメラのシルエットに従う。さらに、ＰＤＡスクリーンの横向きは、テキスト表示に対して最適である。合わせられたユニット３は、比較的コンパクトであり、すなわち代表的な通常の持ち運び用のケースに容易にフィットする。
【０００８】
ＰＤＡ２におけるスクリーン１０は、その画像（静止画もしくは動画）を表示するために用いられ、ユーザがカメラを操作することにおいてアシストする。より詳細には、ワイヤレスインターネットアクセスを備えたＰＤＡ２は、カメラの操作に関する所定のウェブサイトから画像にアクセスし得る。画像は、ＰＤＡ２にダウンロードされ得るか、またはストリーミング接続され得、そしてＰＤＡのスクリーン１０上でユーザに対して表示され得る。あるいは、このような画像は、ＰＤＡ２メモリに格納され得るか、またはＰＤＡ２に挿入されるメモリチップもしくはメモリカードもしくはメモリスティック等に格納され得る。好ましいビデオもしくは画像は、ユーザが、ＰＤＡのタッチスクリーン１０を使用し、画像を介してナビゲートして、所望される情報を表示することを可能にするナビゲーションの合図を含む。他の実施形態において、スピーカおよび増幅器を備えたＰＤＡ２は、画像の代わりに、もしくは画像に加えて、音声を用いる。
【０００９】
好ましい実施形態において、ビデオコンテンツもしくは音声コンテンツは、ホストのパーソナリティを含む。好ましくは、ユーザは、所定のパーソナリティのセットからホストのパーソナリティ選択する機会を有する。ホストのパーソナリティは、前もって録画されたビデオセグメントを介して、カメラの操作を記載するコンテンツを介してユーザをガイドする。
【００１０】
カメラ１およびＰＤＡ２は、そのカメラ１とそのＰＤＡ２との間のデータ接続のために電気的にリンクされる。その結果、カメラ１は、ＰＤＡ２に信号を送信し、ユーザがアクセスを試みているカメラの機能を識別する。それに応答して、ＰＤＡ２は、好ましくは、ユーザが使用しようと試みるカメラの機能に関連するビデオセグメントを自動的に見つけ出し、呈示する。このようにして、合わせられたカメラ／ＰＤＡは、ボード上のヘルパーのようにふるまい、ユーザに、そのユーザが必要としている情報を必要なときに提供する。
【００１１】
上述の好ましい実施形態は、カメラと対話するスタンドアロンのＰＤＡを組み込む。この実施形態は、経済性を達成する。なぜなら、ユーザは、（カメラの第２のタッチスクリーンに対して追加コスト払うのではなく）１つのタッチスクリーンデバイスを所有することだけを必要とするからである。しかしながら、図３および４に図示される、本発明に従ったデジタルカメラ１０は、変形例として、スタンドアロンのＰＤＡなしで、ユーザインターフェース１５を画像キャプチャ装置２０と合わせることによって実現される。ユーザインターフェースデバイス１５は、画像キャプチャ装置２０の制御に関するコンテンツもしくは画像を表示するスクリーン２５を含む。好ましくは、スクリーン２５は、タッチセンシティブであり、ユーザがコマンドを入力することを可能にする、つまりスクリーン２５がユーザ入力デバイス２７であるようなスクリーン２５を介して入力することを可能にする。あるいは、ボタン、キーまたは他の入力メカニズムが提供されている。カメラ１０は、ディスプレイスクリーン２５、もしくは他の入力メカニズム２７上でユーザの入力に応答して、画像キャプチャ装置２０を制御するハードウェアおよびソフトウェアをさらに含む。タッチスクリーン上２５に表示されるコンテンツは、好ましくは、図１および図２の実施形態に関して上述されるように、ナビゲートされ得るビデオコンテンツである。
【００１２】
デバイスの例示的なバージョンが図示されているが、本発明の範囲を逸脱することなくデバイスへの多くの変形がされ得ることは明らかである。
【図面の簡単な説明】
【００１３】
【図１】デジタルカメラに取り外し可能に取り付けられたパーソナルアシスタントデバイスの例示的なバージョンの透視図である。
【図２】図１に図示されるパーソナルデジタルアシスタントの背面図である。
【図３】タッチスクリーン含むデジタルカメラの代替的な実施形態の透視図である。
【図４】図３のカメラの背面図である。
【図１】
2006512873.tif 000003
【図２】
2006512873.tif 000004
【図３】
2006512873.tif 000005
【図４】
2006512873.tif 000006
【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
デジタルカメラを操作するためのパーソナルデジタルアシスタントであって、
ａ）デジタルカメラへの機械結合と、
ｂ）デジタルカメラへの電気結合と、
ｃ）該アシスタントに機械的および電気的に接続された該デジタルカメラの操作を制御するための制御オプションを表示するため、かつ、ユーザの制御選択を受けるためのタッチスクリーンと、
ｄ）該カメラの操作の方法をカメラのユーザに指示を提供するための前もって録画された動画ビデオクリップのライブラリを格納するデータストレージと、
ｅ）該タッチスクリーン上で該動画ビデオクリップを表示するため、かつ、ユーザがビデオクリップを介してナビゲートすること可能にするため、かつ、該カメラを制御するユーザの入力を受け、そして、該電気結合を介して、該カメラへ該ユーザの制御入力を通信するためのハードウェアおよびソフトウェアと
を備えた、パーソナルデジタルアシスタント。
【請求項２】
前記ビデオ画像は、パーソナリティによってホストされる、請求項１に記載のパーソナルデジタルアシスタント。
【請求項３】
デジタルカメラであって、
ａ）画像キャプチャ装置と、
ｂ）該カメラの操作の方法をカメラのユーザに指示を提供するための前もって録画された動画ビデオクリップのライブラリを格納するためのデータストレージと、
ｃ）該画像キャプチャ装置に結合されたユーザインターフェースデバイスであって、これにより、ユーザは、該画像キャプチャ装置を制御し得る、ユーザインターフェースデバイスと
を備え、
該ユーザインターフェースは、
（ｉ）ユーザの入力を登録するためのタッチセンシティブスクリーンを有するユーザ入力デバイスと、タッチセンシティブスクリーンと、
（ｉｉ）該入力デバイスを制御し、そして該入力デバイスに応答するため、かつ、該画像キャプチャ装置を制御するためのハードウェアおよびソフトウェアと、
（ｉｉｉ）該画像キャプチャ装置の制御に関する選択されたビデオコンテンツを表示するためのハードウェアおよびソフトウェアとを備え、該ビデオは、ナビゲートされ得、かつ、ユーザの入力に基づいて選択的に再生される、デジタルカメラ。
【請求項４】
前記ユーザインターフェースデバイスは、前記カメラに取り外し可能に取り付けられている、請求項３に記載のデジタルカメラ。
【請求項５】
前記ビデオコンテンツは、該ビデオコンテンツを介して前記ユーザをガイドするホストのパーソナリティの役割を果たす、請求項３に記載のデジタルカメラ。
【請求項６】
ｆ）前記ビデオ画像に関する前記ライブラリに格納されている音声をさらに備え、該音声は、カメラのユーザに前記カメラの操作の方法を記載するために前記関連するビデオクリップと調和した、請求項１に記載のデジタルカメラを操作するためのパーソナルデジタルアシスタント。
【請求項７】
関連する音声を有する前記ビデオクリップは、前記カメラの使用方法を記載するパーソナリティの特徴を持ち、前記ユーザは、該ビデオクリップを介してナビゲートし、所望のトピック上のクリップを再生し得る、請求項６に記載のデジタルカメラを操作するためのパーソナルデジタルアシスタント。
【請求項８】
前記ビデオクリップは、前記ユーザが、前記タッチスクリーン上の指示されたスポットをタッチすることによって起動し得るナビゲーションの合図を備えた、請求項１に記載のデジタルカメラを操作するためのパーソナルデジタルアシスタント。
【請求項９】
デジタルカメラを操作するためのパーソナルデジタルアシスタントであって、
ａ）デジタルカメラへの機械結合と、
ｂ）デジタルカメラへの電気結合と、
ｃ）該アシスタントに機械的および電気的に接続された該デジタルカメラの操作を制御するための制御オプションを表示するため、かつ、ユーザの制御選択を受けるためのタッチスクリーンと、
ｄ）該カメラの操作を記載するビデオクリップにアクセスするために所定のウェブサイトに接続するためのワイヤレスインターネットアクセスと、
ｅ）該タッチスクリーン上で該動画ビデオクリップを表示するため、かつ、ユーザがビデオクリップを介してナビゲートすること可能にするため、かつ、該カメラを制御するユーザの入力を受け、そして、該電気結合を介して、該カメラへ該ユーザの制御入力を通信するためのハードウェアおよびソフトウェアと
を備えた、パーソナルデジタルアシスタント。
【請求項１０】
ｄ）前記ビデオ画像に関する前記ライブラリに格納されている音声をさらに備え、該音声は、カメラのユーザに前記カメラの操作の方法を記載するために前記関連するビデオクリップと連携する、請求項３に記載のデジタルカメラ。
【請求項１１】
関連する音声を有する前記ビデオクリップは、前記カメラの使用方法を記載するパーソナリティの特徴を持ち、前記ユーザは、該ビデオクリップを介してナビゲートし、所望のトピック上のクリップを再生し得る、請求項１０に記載のデジタルカメラ。
【請求項１２】
前記ビデオクリップは、前記ユーザが、前記タッチスクリーン上の指示されたスポットをタッチすることによって起動し得るナビゲーションの合図を備えた、請求項３に記載のデジタルカメラ。
【請求項１３】
デジタルカメラであって、
ａ）画像キャプチャ装置と、
ｂ）該カメラの操作を記載するビデオクリップにアクセスするために所定のウェブサイトに接続するためのワイヤレスインターネットアクセスと、
ｃ）該画像キャプチャ装置に結合されたユーザインターフェースデバイスであって、これにより、ユーザは、該画像キャプチャ装置を制御し得る、ユーザインターフェースデバイスと
を備え、
該ユーザインターフェースは、
（ｉ）ユーザの入力を登録するためのタッチセンシティブスクリーンを有するユーザ入力デバイスと、タッチセンシティブスクリーンと、
（ｉｉ）該入力デバイスを制御し、そして該入力デバイスに応答するため、かつ、該画像キャプチャ装置を制御するためのハードウェアおよびソフトウェアと、
（ｉｉｉ）該画像キャプチャ装置の制御に関する選択されたビデオコンテンツを表示するためのハードウェアおよびソフトウェアとを備え、該ビデオは、ナビゲートされ得、かつ、ユーザの入力に基づいて選択的に再生される、デジタルカメラ。
【国際調査報告】
2006512873.tif 000007